(57)【要約】【課題】  複数の反射面を備えた反射部材を用いることにより、光模様に奇抜な変化を持たせるとともにその光模様に流れるような動きを持たせることのできる興趣に富んだ光模様発生装置を提供すること。【解決手段】  パチンコ機１０に取り付けられる光模様発生装置２０を、後部に配置された光源部２２と、光源部２２が前方に向かって発生する光を拡散させる拡散部２３と、拡散部２３によって拡散された光を角度を変えて前方に反射させる複数の反射面を備えた反射部２４と、拡散部２３を回転させるモータ２６とで構成した。そして、モータ２６を回転させることにより、反射部２４によって反射される光模様に変化を生じさせるようにした。【選択図】  図３
2016168076.tif 000002
【特許請求の範囲】
【請求項１】
遊技機に取り付けられる光模様発生装置であって、
後部に配置された光源部と、
前記光源部の前方に配置され前記光源部が発生する光を拡散させる拡散部と、
前記光源部の前方に配置され前記光源部が発生する光を角度を変えて前方に反射させる複数の反射面を備えた反射部と、
前記光源部、前記拡散部および前記反射部のうちの少なくとも１つを回転させることにより、前記光で形成される光模様に変化を生じさせる回転駆動装置と
を備えたことを特徴とする光模様発生装置。
【請求項２】
前記反射部が前記拡散部の前方に配置され、前記拡散部によって拡散された光を角度を変えて前方に反射させるようにした請求後１に記載の光模様発生装置。
【請求項３】
最前部に前記光模様を投影する投影板が設置されている請求項１または２に記載の光模様発生装置。
【請求項４】
前記反射部の反射面を、少なくとも一方の面が鏡面になったシートを筒状に形成した複数の筒状リフレクターの鏡面で構成した請求項１ないし３のうちのいずれか一つに記載の光模様発生装置。
【請求項５】
前記拡散部に色模様を施した請求項１ないし４のうちのいずれか一つに記載の光模様発生装置。
【発明の詳細な説明】
【技術分野】
【０００１】
本発明は、遊技機に取り付けられる光模様発生装置に関する。
【背景技術】
【０００２】
従来から、パチンコ機やスロットマシン等の遊技機においては、遊技の面白さを増すため、および、リーチのような遊技状態を表すために、変化する模様を表示する表示装置が設けられている。このような表示装置の中に、光模様を変化させながら表示できる光模様発生装置がある（例えば、特許文献１参照）。
【０００３】
この光模様発生装置（装飾図柄表示装置）は、表面に暗色部と明色部からなる模様が形成された基板と、基板の前面に配設され、暗色着色部と透光部からなる模様が形成された前面部材を備えている。そして、基板と前面部材の少なくとも一方を回転させることにより、前面部材が基板に対して相対回転するように構成されている。この光模様発生装置によると、前面部材の基板に対する相対回転にともない、前面部材の暗色着色部および透光部が、順次、基板の暗色部および明色部上を横切るので、暗色部および明色部と、暗色着色部および透光部が、一致、不一致を繰り返し、光模様が変化して見える。
【先行技術文献】
【特許文献】
【０００４】
【特許文献１】特開２０１１−１３０７９２号公報
【発明の概要】
【０００５】
しかしながら、前述した従来の光模様発生装置では、基板と前面部材で光模様が形成されるため、光模様の形状が基板と前面部材の形状そのものに制限される。このため、従来の光模様発生装置では、光模様が単調になり、面白みに欠けるという問題がある。
【０００６】
本発明は、前述した問題に対処するためになされたもので、その目的は、複数の反射面を備えた反射部材を用いることにより、光模様に奇抜な変化を持たせるとともにその光模様に流れるような動きを持たせることのできる興趣に富んだ光模様発生装置を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る光模様発生装置の構成上の特徴は、遊技機（１０）に取り付けられる光模様発生装置（２０）であって、後部に配置された光源部（２２）と、光源部の前方に配置され光源部が発生する光を拡散させる拡散部（２３）と、光源部の前方に配置され光源部が発生する光を角度を変えて前方に反射させる複数の反射面を備えた反射部（２４）と、光源部、拡散部および反射部のうちの少なくとも１つを回転させることにより、光で形成される光模様に変化を生じさせる回転駆動装置（２６）とを備えたことにある。この場合、反射部が拡散部の前方に配置され、拡散部によって拡散された光を角度を変えて前方に反射させるようにすることが好ましい。
【０００８】
本発明に係る光模様発生装置は、光源部、拡散部、反射部およびこれらの少なくとも１つを回転させる回転駆動装置を備えており、反射部は、複数の反射面を備えている。この複数の反射面としては、三角形、四角形等の多角形の筒状体の複数の内面や、複数の領域に区切られた、例えばハニカム状に形成された部材の内部の各面を用いることができる。このため、反射部を拡散部の前方に配置した場合には、光源部から発生した光は、拡散部によって拡散されてムラのない状態で広がり、反射部の複数の反射面で各方向に反射されることによって、多様な光模様に変化するとともに、光模様に濃淡が生じる。さらに、回転駆動装置によって、光源部、拡散部および反射部の少なくとも１つが回転することによって、光模様が流れ動くように見えるようになる。これによって、光模様発生装置に表示される光模様は興趣に富んだものになる。
【０００９】
また、本発明に係る光模様発生装置では、反射部を拡散部の後方に配置してもよく、この場合には、光源部から発生した光は、反射部の複数の反射面で各方向に反射されることによって、多様な光模様に変化するとともに、光模様に濃淡が生じ、その光模様が拡散部によって拡散されてムラのない状態で広がるようになる。これによっても、光模様発生装置に表示される光模様は興趣に富んだものになる。
【００１０】
本発明においては、拡散部と反射部を固定して、光源部を回転駆動装置が回転させるようにしてもよいし、光源部と反射部を固定して、拡散部を回転駆動装置が回転させるようにしてもよいし、光源部と拡散部を固定して、反射部を回転駆動装置が回転させるようにしてもよい。また、回転駆動装置を複数設けて、光源部、拡散部および反射部のうちの複数の部材を回転させるようにしてもよい。この場合、回転する複数の部材の回転方向および回転速度の双方または一方が異なるようにして、光模様が流れるように動いて見えるようにする。なお、本発明において、光源部が設置される後部とは、光模様発生装置を表面側から見た場合の奥側部分であり、光源部が設置される場所に応じて後方になったり、下方になったりする。
【００１１】
本発明に係る光模様発生装置の他の構成上の特徴は、最前部に光模様を投影する投影板（２５）が設置されていることにある。
【００１２】
本発明によると、光源部、拡散部および反射部によって形成された光模様にぼかしが加わったようになるため、光模様発生装置に表示される光模様はさらに興趣に富んだものになる。また、投影板は、前述した光模様に色彩がある場合は、乳白色のシートで構成することが好ましい。これによると、光模様の色彩がそのまま投影板に表れるようになる。
【００１３】
本発明に係る光模様発生装置のさらに他の構成上の特徴は、反射部の反射面を、少なくとも一方の面が鏡面になったシートを筒状に形成した複数の筒状リフレクター（２４ｃ）の鏡面で構成したことにある。
【００１４】
本発明によると、反射部は、例えば、万華鏡の反射部を複数組み合わせたように構成されるため、光模様がより変化に富んだものになる。この場合の各筒状リフレクターの形状としては、円形や楕円形等の筒状、または、三角形や四角形等の多角形の筒状とすることができる。また、前述した各形状の筒状リフレクターを複数組み合わせて用いることもできる。さらに、各筒状リフレクターの大きさは均一にしてもよいし、異なるようにしてもよい。これによると、光模様は、各部分によって、曲面状の反射面に反射されて歪んだ状態になったり、平面状の反射面に反射されて元の状態を維持したまま対称の形状になったりして、奇抜な形状に形成される。
【００１５】
本発明に係る光模様発生装置のさらに他の構成上の特徴は、拡散部に色模様を施したことにある。
【００１６】
本発明によると、光模様にさらに、色模様が加わるため、光模様発生装置に表示される光模様はさらに興趣に富んだものになる。この場合の色模様は、拡散部自体を着色して設けられたものでもよいし、色模様が施されたシート、薄板等を拡散部に貼り付けたり重ね合わせたりすることで設けられたものでもよい。
【図面の簡単な説明】
【００１７】
【図１】本発明の第１実施形態に係る光模様発生装置を備えたパチンコ機を示した正面図である。
【図２】光模様発生装置を示した斜視図である。
【図３】光模様発生装置の分解斜視図である。
【図４】光模様発生装置を示した断面図である。
【発明を実施するための形態】
【００１８】
（第１実施形態）
以下、本発明の第１実施形態を図面を用いて説明する。図１は、同実施形態に係る光模様発生装置２０を備えたパチンコ機１０を示している。パチンコ機１０は、本発明に係る遊技機を構成するもので、その表面における上部には遊技面１１が設けられ、遊技面１１の下方には、遊技球（図示せず）を一旦溜めて順次発射位置に供給する上皿１２と、上皿１２から供給される遊技球を遊技面１１内に向けて発射するハンドル１３が設けられている。上皿１２の下方には、遊技球を溜めるための下皿１４が設けられている。また、遊技面１１の略中央には、窓部１５が設けられ、窓部１５の奥に液晶画面１６が設けられている。
【００１９】
さらに、遊技面１１における窓部１５の下方に２つの入賞装置１７ａ，１７ｂとアウト口１８とが、前述した順に、上方から下方に間隔をおいて設けられている。入賞装置１７ａ，１７ｂ内に遊技球が入ると、所定数の遊技球が賞球として、パチンコ機１０の裏面上部に設置された球タンクから球払出装置（図示せず）を介して上皿１２に送られる。アウト口１８は、入賞装置１７ａ，１７ｂに入らなかった遊技球を通過させてパチンコ機１０の下方に設置された回収タンク（図示せず）に送るためのゲート穴である。光模様発生装置２０は、遊技面１１における窓部１５の上方に設置されている。なお、以下の光模様発生装置２０の説明において、前後、左右および上下の各方向は、図１に基づいたものとし、図１の紙面手前側が前方、紙面奥側が後方であるとする。
【００２０】
光模様発生装置２０は、図２ないし図４に示したように、収容支持ケース２１と、光源部２２と、拡散部２３と、反射部２４と、投影板２５と、モータ２６と、ギア２７で構成されている。収容支持ケース２１は、正面視による形状が円形の外周部分の一部を外部側（図１の左側）に突出させた略しずく形に形成された板状の底面部２１ａと、底面部２１ａの外周縁部から前方に突出する周面部２１ｂとからなるケース本体を備えており、左右および上下の各方向から見た形状は、それぞれ四角形に形成されている。周面部２１ｂにおける左側に突出した部分の前端部には後部側に延びる取付用凹部２１ｃが形成されている。
【００２１】
底面部２１ａの前面には、底面部２１ａの右側部分の周縁部と中心を一致させて環状の摺動壁２１ｄが形成されており、この摺動壁２１ｄの内面は滑らかな面に形成されている。そして、底面部２１ａにおける摺動壁２１ｄの内部側の部分には、４つの筒状の固定部２１ｅが周方向に一定間隔で形成されている。また、周面部２１ｂの内面前縁側部分における左右方向の中央よりやや左側の部分から右端部にかけての部分には、突条からなる係止部２１ｆが形成されている。なお、図示は省略しているが、底面部２１ａの左側部分における取付用凹部２１ｃの斜め上方部分と斜め下方部分には、それぞれ固定部２１ｅよりも軸方向（前後方向）の長さが長い筒状のモータ固定部が形成され、底面部２１ａの中央部分には、配線を通すための配線挿通穴が形成されている。
【００２２】
光源部２２は、円板状の取付板２２ａの前面に複数のＬＥＤ２２ｂを取り付けて構成されており、取付板２２ａは、収容支持ケース２１の摺動壁２１ｄ内に余裕をもって配置できる大きさに形成されている。また、取付板２２ａには、収容支持ケース２１の４つの筒状の固定部２１ｅと同じ間隔で、４つのネジ挿通穴２２ｃが形成されている。光源部２２は、各ネジ挿通穴２２ｃをそれぞれ固定部２１ｅに合わせた状態で、摺動壁２１ｄ内に設置され、４つのネジ（図示せず）をそれぞれネジ挿通穴２２ｃに通し、固定部２１ｅの穴の周面に螺合させることによって、収容支持ケース２１に固定される。各ＬＥＤ２２ｂは、それぞれすべての色の光を発生できる多色ＬＥＤからなっており、その後部には取付板２２ａを貫通する配線（図示せず）が接続されている。このＬＥＤ２２ｂの配線は、配線挿通穴を通って収容支持ケース２１の後方に延ばされる。
【００２３】
拡散部２３は、略円板状の拡散板２３ａと、拡散板２３ａの後面に形成され、軸方向（前後方向）が短い筒状の摺動環状部２３ｂとで構成されている。拡散板２３ａは、収容支持ケース２１の周面部２１ｂ内に配置できる大きさに形成されており、前面に凹凸模様が形成された円形の拡散レンズ部２３ｃと、拡散レンズ部２３ｃの外周側に形成され、外周面に複数の歯２３ｄが形成された環状のギア部２３ｅで構成されている。
【００２４】
拡散レンズ部２３ｃの凹凸模様は、不規則な形状の凹凸をくまなく形成することによって構成され、各凹凸が、レンズとして機能して光を屈折させて拡散する。拡散レンズ部２３ｃの後面およびギア部２３ｅの前後の面は、それぞれ平面状に形成されている。また、摺動環状部２３ｂは、収容支持ケース２１の摺動壁２１ｄ内に挿入でき、かつ内部に光源部２２を余裕をもって収容できる大きさに形成されており、摺動環状部２３ｂの外周面は、滑らかな面に形成されている。このため、摺動環状部２３ｂを摺動壁２１ｄ内に挿入したときに、摺動環状部２３ｂの内部に光源部２２が入り、その状態で、拡散部２３は、収容支持ケース２１に対してがたつくことなく軸周り方向に回転できる。
【００２５】
反射部２４は、軸方向（前後方向）が短い筒状のリフレクター収容部２４ａと、リフレクター収容部２４ａの前端外周から外部側に延びるフランジ状の係合部２４ｂで本体部分が形成され、リフレクター収容部２４ａの内部に複数の筒状リフレクター２４ｃを設置して構成されている。リフレクター収容部２４ａの内径は、拡散レンズ部２３ｃの外径と同じ長さに設定され、係合部２４ｂは、収容支持ケース２１の周面部２１ｂ内に入って係止部２１ｆに係合できる大きさに形成されている。係合部２４ｂが、係止部２１ｆに係合したときに、リフレクター収容部２４ａの後端部と、拡散部２３のギア部２３ｅの前面との間には隙間が生じて、反射部２４が拡散部２３の回転を阻害しないようになっている。
【００２６】
筒状リフレクター２４ｃは、両面が鏡面に形成されたシートを軸方向の長さがリフレクター収容部２４ａと略等しい筒状に形成して構成されており、各筒状リフレクター２４ｃの大きさおよび形状はそれぞれ異なっている。すなわち、各筒状リフレクター２４ｃの正面視による形状は、円形、楕円形、円弧状、三角形、四角形等種々の形状になっている。また、各筒状リフレクター２４ｃ間および各筒状リフレクター２４ｃとリフレクター収容部２４ａの内周面との間は、それぞれ接着によって固定されている。各筒状リフレクター２４ｃは、ＬＥＤ２２ｂから拡散部２３の拡散レンズ部２３ｃを介して照射されてくる光を種々の方向に角度を変えて反射して濃淡のある光模様を形成する。
【００２７】
投影板２５は、すりガラス状の乳白色の円形シートで構成されており、後面が滑らかな面に形成され、前面が微小の凹凸が形成された粗面に形成されている。この投影板２５の直径は、反射部２４の係合部２４ｂの外径よりも僅かに短く設定されている。投影板２５は、反射部２４の前面に固定されて、筒状リフレクター２４ｃから反射されてくる光をムラのない均一な状態にするとともに、その光模様をぼかしたようにして、濃淡を発生させる。
【００２８】
モータ２６は、正逆回転が可能なステッピングモータからなっており、モータ本体２６ａと、モータ本体２６ａから後方に突出する回転軸２６ｂで構成されている。また、モータ本体２６ａの後端面の上下両側部分には、それぞれ外部に向かって突出する一対のネジ挿通片２６ｃが形成され、モータ本体２６ａの外周面の左部分には配線接続用の凸部２６ｄが形成されている。モータ２６は、ネジ挿通片２６ｃを底面部２１ａに形成されたモータ固定部の前端に合わせるとともに凸部２６ｄを取付用凹部２１ｃ内に位置させて、収容支持ケース２１内の左側部分に設置される。そして、２つのネジ（図示せず）をそれぞれネジ挿通片２６ｃの挿通穴に通し、モータ固定部の穴の周面に螺合させることによって、収容支持ケース２１に固定される。
【００２９】
ギア２７は、拡散部２３のギア部２３ｅに形成された複数の歯２３ｄに歯合できる歯車で構成されており、モータ２６の回転軸２６ｂに固定されている。そして、モータ２６を収容支持ケース２１に固定したときに、ギア２７は、ギア部２３ｅの歯２３ｄに歯合する。このため、モータ２６が作動すると、ギア２７を介して拡散部２３は回転する。このように構成された光模様発生装置２０は、図１に示したように、前面に位置する投影板２５だけを露出させて、パチンコ機１０に取り付けられる。
【００３０】
また、パチンコ機１０には、ＬＥＤ２２ｂおよびモータ２６の作動を制御する制御装置が備わっている。そして、ＬＥＤ２２ｂは、制御装置の制御により、所定のタイミングで光を発生し、モータ２６は、制御装置の制御により、拡散部２３を所定の方向に回転させる。この場合、静止している光源部２２の前で拡散部２３が回転することによって、ＬＥＤ２２ｂが発生する光は、拡散されながら流れるように変化して見える。さらに、その流れるように変化して見える光が、反射部２４を通過する間に、各筒状リフレクター２４ｃによる反射を繰り返して、移動する光模様が表れる。さらに、反射部２４によって発生した光模様は、投影板２５によって、ムラのない均一な状態になるとともに、ぼかしたような濃淡のある光模様として表れる。
【００３１】
このように、本実施形態によると、光模様発生装置２０の前面に変化に富んだ光模様を発生させることができる。また、動作の途中で、拡散部２３の回転方向を変えたり、ＬＥＤ２２ｂが発生する光の色を変えたりすることもできる。このような動作が、パチンコ機１０を使用して遊技が行われている際に、所定のタイミングで発生する、これによって、遊技の面白さが増加する。また、遊技状態が、大当たりの前のリーチの状態になったときに、光模様発生装置２０が作動するように設定することもできる。
【００３２】
以上のように、本実施形態に係る光模様発生装置２０では、光源部２２、反射部２４および投影板２５を静止状態に維持して、光源部２２が発生する光を拡散させる拡散部２３を回転させている。このため、光模様発生装置２０を前方から見ると、拡散部２３によって拡散された光は、流れるように移動して見えるようになる。また、拡散部２３の前方には、複数の筒状リフレクター２４ｃを備えた反射部２４が位置しているため、流れるように移動する光が、さらに奇抜な光模様になって変化に富むとともに濃淡のあるものになる。さらに、その光模様は、反射部２４の前方に位置する投影板２５によってぼかしの入った光模様になる。
【００３３】
（第２実施形態）
図示は省略するが、本発明の第２実施形態として、拡散部を静止状態に維持して光源部をモータ２６で回転させることができる。この場合、光源部の取付板の直径を前述した光源部２２の取付板２２ａの直径よりも大きくして、その取付板の外周部にギア２７に歯合できる複数の歯を形成する。そして、取付板の後面に、収容支持ケース２１の摺動壁２１ｄ内に挿入でき、かつ摺動壁２１ｄに対して摺動可能な摺動環状部を設ける。これによって、モータ２６の作動により、光源部が摺動壁２１ｄ内で軸周り方向に回転できるようになる。
【００３４】
また、拡散部は、前述した拡散部２３から摺動環状部２３ｂおよび複数の歯２３ｄを省略したもので構成し、その外周部を収容支持ケース２１に固定または係合させるか、または、反射部２４の後端部に固定する。光模様発生装置のそれ以外の部分の構成については、前述した第１実施形態と同様にする。このように構成された光模様発生装置によっても、前述した第１実施形態に係る光模様発生装置２０と同様の作用効果を得ることができる。
【００３５】
（第３実施形態）
図示は省略するが、本発明の第３実施形態として、拡散部を静止状態に維持して反射部をモータ２６で回転させることができる。この場合、反射部のリフレクター収容部の直径を前述したリフレクター収容部２４ａの直径よりも大きくして、その外周面にギア２７に歯合できる複数の歯を形成する。そして、係合部の後面における少なくとも外周側部分と、それに対向する係止部２１ｆの前面とを滑らかな面に形成する。これによって、モータ２６の作動で、反射部が収容支持ケース２１内の前部側で軸周り方向に回転できるようになる。
【００３６】
また、拡散部は、前述した拡散部２３から複数の歯２３ｄを省略したもので構成し、摺動環状部２３ｂを摺動壁２１ｄの内周面に嵌合させる。また、摺動環状部２３ｂの直径を小さくして、その後端部を光源部２２に固定してもよいし、摺動環状部２３ｂを省略して、拡散部の外周部を収容支持ケース２１に固定または係合させてもよい。光模様発生装置のそれ以外の部分の構成については、前述した第１実施形態と同様にする。このように構成された光模様発生装置によっても、前述した第１実施形態に係る光模様発生装置２０と同様の作用効果を得ることができる。
【００３７】
また、前述した各実施形態の変形例として、拡散部２３の拡散レンズ部２３ｃに色模様を施すこともできる。この場合の色模様としては、種々の模様を用いることができるが、拡散部２３を回転させる場合は、回転することにより興趣に富むような変化が生じる模様、例えば、渦巻状の模様などにすることが好ましい。また、色模様は、直接拡散レンズ部２３ｃに着色することで設けてもよいが、色模様が施されたシールや薄板を拡散レンズ部２３ｃに貼り付けたり、重ね合わせたりすることで設けてもよい。この場合、ＬＥＤ２２ｂとしては、単色ＬＥＤを用いてもよい。
【００３８】
さらに、前述した各実施形態の変形例として、拡散部と反射部との前後の位置を変えることもできる。この場合、光源部から発生した光は、反射部によって、濃淡のある多様な光模様に変化したのち、拡散部によって拡散されてムラのない状態で広がり、さらに、投影板によって、その光模様にぼかしが入るようになる。これによっても、光模様発生装置に表示される光模様は興趣に富んだものになる。
【００３９】
本発明に係る遊技機の光模様発生装置は、前述した実施形態に限定するものでなく、適宜変更することができる。例えば、前述した実施形態では、遊技機として、パチンコ機１０を用いているが、この遊技機としてはパチンコ機に限らず、スロットマシンやスマートボール等を用いてもよい。なお、スマートボールのように、光模様発生装置２０を、表面を上方に向けて配置する場合は、本発明に係る後部は下方になる。この場合、光源部２２は光模様発生装置２０の下部側に配置されることになる。すなわち、本発明では、遊技機の遊技者の目元側が前方で目線が向かう方向が後方となる。
【００４０】
また、前述した各実施形態では、モータ２６が、光源部２２、拡散部２３および反射部２４のいずれか１つを回転させるようになっているが、これらの２つまたは３つが回転するようにしてもよい。この場合、モータは回転させる部材の数に合わせて複数設けて各部材の回転速度が異なるようにしてもよいし、変速機構を設けて１つのモータで各部材の回転速度が異なるようにしてもよい。また、光源部２２の発光部は、ＬＥＤ２２ｂに限らず電球など発光できるものであれば他のものを用いてもよい。
【００４１】
さらに、前述した各実施形態では、拡散部２３の拡散レンズ部２３ｃに不規則な凹凸模様をくまなく形成しているが、この凹凸模様は部分的に形成してもよいし、規則正しく形成してもよい。特に、拡散部２３が回転する場合には、凹凸模様を部分的に形成して、拡散部２３が回転するときに、凹凸模様が所定の形状になるようにしてもよい。例えば、拡散レンズ部２３ｃの中央部分と外周側部分とで凹凸の大きさが徐々に異なるようにしたり、凹凸模様で十の文字を描くようにしたりすることでも興趣に富む光模様を発生させることができる。
【００４２】
また、前述した各実施形態では、反射部２４の各筒状リフレクター２４ｃは、それぞれ異なった形状に形成されているが、これらは同じ形状で同じ大きさにしてもよいし、同じ形状で大きさが異なるものにしてもよい。また、筒状リフレクター２４ｃを前後方向に段違いに形成して、筒状リフレクター２４ｃの前後方向にも複数の反射面を形成するようにしてもよい。さらに、筒状リフレクター２４ｃを構成する材料としては、両面が鏡面に形成されたシートに限らず、表面にメッキを施したり、アルミなどの金属を蒸着したりすることにより表面を鏡面にした筒体を用いてもよい。また、投影板２５は、乳白色のシートに限らず、他の色のもので構成してもよいし、投影板２５を省略してもよい。さらに、本発明に係る遊技機の光模様発生装置のそれ以外の部分の構成についても本発明の技術的範囲内で適宜変更して実施することが可能である。
【符号の説明】
【００４３】
１０…パチンコ機、２０…光模様発生装置、２２…光源部、２３…拡散部、２４…反射部、２４ｃ…筒状リフレクター、２５…投影板、２６…モータ。
【図１】
2016168076.tif 000003
【図２】
2016168076.tif 000004
【図３】
2016168076.tif 000005
【図４】
2016168076.tif 000006